(57)【要約】【課題】洗浄工程中に加熱された洗浄槽の放熱や、サーモモジュールの放熱の影響を少なくし、サーモモジュールの冷却効率を向上させた使い勝手が良い食器洗い機を提供する。【解決手段】筐体１７内に前後方向に移動可能に配置されたる洗浄槽２０の前方にサーモモジュール２７を設け、洗浄槽２０内の空気がサーモモジュール２７の冷却部２７ａに接触するように循環させる第１の送風手段２８と循環経路２９と、洗浄槽２０外の空気がサーモモジュール２７の放熱部２７ｂに接触するように通過させる第２の送風手段３０と送風経路３１とを有し、サーモモジュール２７の放熱部２７ｂに送風する送風経路３１の吸気口３２をサーモモジュール２７より下方に設けた。【選択図】図１
2014100277.tif 000002
【特許請求の範囲】
【請求項１】
前面に開口部を有する筐体と、前記筐体内に前後方向に移動可能に配置されたる洗浄槽と、前記洗浄槽の前方に設けられ、前記開口部を覆う扉体と、前記洗浄槽と前記扉体との間に配設されたサーモモジュールとを備え、前記洗浄槽内の空気が前記サーモモジュールの冷却部に接触するように循環させる第１の送風手段と循環経路と、前記洗浄槽外の空気が前記サーモモジュールの放熱部に接触するように通過させる第２の送風手段と送風経路とを有し、前記送風経路の吸気口は前記サーモモジュールより下方に設けられた食器洗い機。
【請求項２】
前記吸気口は前記扉体の下端近傍に設けられた請求項１記載の食器洗い機。
【請求項３】
前記扉体と前記筐体との間に開口や隙間等の空気が通る通気路が設けられた請求項１または２記載の食器洗い機。
【発明の詳細な説明】
【技術分野】
【０００１】
本発明は食器類を洗浄する食器洗い機に関するものである。より詳しくは、洗浄槽内の空気を冷却する冷却機構を備えた食器洗い機に関するものである。
【背景技術】
【０００２】
従来、この種の食器洗い機は図２のように構成されている（例えば、特許文献１参照）。図２は、従来の食器洗い機の縦断面図で、システムキッチンＫに組み込まれた状態を示すものである。図に示すように、前方に第１の開口部１を有する筐体２はシステムキッチンに収容され、筐体２の内部に設けられた洗浄槽３は、前方に第１の開口部１を覆う扉体４と、上方に第２の開口部５を有し、内部に食器類６を収容する食器かご７を配置している。食器かご７の下方には洗浄ノズル８を回転自在に設けており、洗浄槽３内に溜めた洗浄水をポンプ９によって循環させ、洗浄ノズル８より噴射して食器類６を洗浄する。洗浄槽３の左右側部の外側下方にはレール１０が配設され、洗浄槽３は、前後方向へ移動可能に筐体２の左右側面の内側で支持されている。
【０００３】
使用者は、扉体４に一体的に形成された把手部１１をつかみ、洗浄槽３を前方に引き出し、第２の開口部５より食器類６の出し入れを行う。筐体２内の上部空間には第２の開口部５を封止する内蓋１２が設けられ、洗浄槽３が筐体２内に戻される時に、筐体２内の上部空間に待機していた内蓋１２が、筐体２の左右側面の内側に配したリンク機構１３等により後方へ移動しつつ降下して第２の開口部５を閉塞するよう構成されている。
【０００４】
また、洗浄槽３前方内に設けられた扉体４の上部には排気口１４が設けられ、送風手段１５によって洗浄槽３内の空気を排気口１４より機外へ排出して食器類６の乾燥をする。
【０００５】
食器洗い機は、使用者によって洗浄槽３が筐体２内に戻され、運転を開始されると、洗浄槽３の底部に配置されたヒータ１６によって洗浄水を加熱しながら、その洗浄水を洗浄ノズル８から食器類６に向かって噴射し、食器類６の汚れを落とす洗浄工程を行う。その後、食器類６をすすいだ後、排水を行い、洗浄槽３内の空気をヒータ１６によって暖めつつ、送風手段１５によって排気する乾燥工程を行って運転を終了する。
【先行技術文献】
【特許文献】
【０００６】
【特許文献１】特開２０１２−０００２１８号公報
【発明の概要】
【発明が解決しようとする課題】
【０００７】
しかしながら、前記従来の構成では、ヒータによって暖められた洗浄槽内の空気が、前面に設けられた排気口から排気される構成としているため、乾燥工程中に他の作業を行ったり前を通過する際に、火傷はしないまでも、突然の熱を帯びた排気に驚いたり、湿気を多く含んだ排気で衣服をぬらす等の課題を有していた。
【０００８】
また、前面から高温多湿の排気を出さないよう、洗浄槽内の空気を循環しつつ洗浄槽内の除湿を行うとき、空気の循環経路になんらかの冷却機構が必要となる。例えば、サーモモジュールを利用した冷却機構の場合、いかにサーモモジュールの放熱をできるかによって効率が変化する。システムキッチンに収容された食器洗い機は周りが囲まれており、乾燥工程中は洗浄工程中に加熱された洗浄槽の放熱によって筐体と洗浄槽の空間は熱で充満しているため、サーモモジュールの放熱の効率は悪くなり、十分な冷却性が得られないと
いう課題を有していた。
【０００９】
本発明は、洗浄工程中に加熱された洗浄槽の放熱や、サーモモジュールの放熱の影響を少なくし、サーモモジュールの冷却効率を向上させた食器洗い機を提供することを目的とする。
【課題を解決するための手段】
【００１０】
前記従来の課題を解決するために、本発明の食器洗い機は、前面に開口部を有する筐体と、前記筐体内に前後方向に移動可能に配置されたる洗浄槽と、前記洗浄槽の前方に設けられ、前記開口部を覆う扉体と、前記洗浄槽と前記扉体との間に配設されたサーモモジュールとを備え、前記洗浄槽内の空気が前記サーモモジュールの冷却部に接触するように循環させる第１の送風手段と循環経路と、前記洗浄槽外の空気が前記サーモモジュールの放熱部に接触するように通過させる第２の送風手段と送風経路とを有し、前記送風経路の吸気口は前記サーモモジュールより下方に設けたことで、洗浄工程中に加熱された洗浄槽の放熱や、サーモモジュールの放熱の影響を少なくし、サーモモジュールの冷却効率を向上することができる。
【発明の効果】
【００１１】
本発明の食器洗い機は、洗浄工程中に加熱された洗浄槽の放熱や、サーモモジュールの放熱の影響を少なくし、サーモモジュールの冷却効率を向上させた食器洗い機を提供することができる。
【図面の簡単な説明】
【００１２】
【図１】本発明の実施の形態１における食器洗い機の縦断面図
【図２】従来の食器洗い機の縦断面図
【発明を実施するための形態】
【００１３】
第１の発明の食器洗い機は、前面に開口部を有する筐体と、前記筐体内に前後方向に移動可能に配置されたる洗浄槽と、前記洗浄槽の前方に設けられ、前記開口部を覆う扉体と、前記洗浄槽と前記扉体との間に配設されたサーモモジュールとを備え、前記洗浄槽内の空気が前記サーモモジュールの冷却部に接触するように循環させる第１の送風手段と循環経路と、前記洗浄槽外の空気が前記サーモモジュールの放熱部に接触するように通過させる第２の送風手段と送風経路とを有し、前記送風経路の吸気口は前記サーモモジュールより下方に設けられたことで、洗浄工程中に加熱された洗浄槽の放熱や、サーモモジュールの放熱の影響を少なくし、サーモモジュールの冷却効率を向上することができる。
【００１４】
第２の発明は、第１の発明において、吸気口は前記扉体の下端近傍に設けられたことにより、システムキッチンの外部の放熱により温められていない空気を吸気することができ、よりサーモモジュールの放熱効率を向上することができる。
【００１５】
第３の発明は、第１または２の発明において、扉体と前記筐体との間に開口や隙間等の空気が通る通気路が設けられたことで、より効率よく外部の空気を吸気することができる。
【００１６】
以下、本発明の実施の形態について、図を参照しながら説明する。なお、この実施の形態によって本発明が限定されるものではない。
【００１７】
（実施の形態１）
図１は、本発明の第１の実施の形態における食器洗い機の構成を示す側面断面図である。図１において、システムキッチンＫに収容された筐体１７は、前面に開口部１８を有し
ている。筐体１７内に前後方向に移動自在に設けられ、食器類１９等の被洗浄物を収容し洗浄する洗浄槽２０は、洗浄槽２０が後方向に移動され筐体１７内に収納された時に開口部１８を覆う扉体２１をその前方に有している。
【００１８】
また、洗浄槽２０は、筐体１７の両側面内側に略水平方向に架設されたレール２２に沿って前後方向に引き出し自在に構成されている。洗浄槽２０の内部に食器類１９を収容する食器かご２３が配置され、食器かご２３の下方には洗浄ノズル２４が回転自在に設けられている。食器洗い機は、洗浄槽２０内に溜めた洗浄水を、底部に配置されたヒータ２５によって加熱しながら、洗浄ポンプ２６によって循環させ、洗浄ノズル２４より噴射して食器類１９を洗浄するよう構成されている。
【００１９】
また、洗浄槽２０と扉体２１との間にサーモモジュール２７が配設され、洗浄槽２０内の空気がサーモモジュール２７の冷却部２７ａに接触するように循環させる第１の送風手段２８と循環経路２９と、洗浄槽２０外の空気がサーモモジュール２７の放熱部２７ｂに接触するように通過させる第２の送風手段３０と送風経路３１とが設けられている。送風経路３１の吸気口３２は、サーモモジュール２７より下方で扉体２１の下端近傍に設けられている。
【００２０】
また、筐体１７の前方下部に吸気口３２とほぼ同面積で通気口３３が設けられ、洗浄槽２０を筐体１７に収納した状態で、扉体２１と筐体１７との間に空気が通る通気路ができるよう構成され、扉体２１の下部の隙間から外部の空気を吸気できるように構成されている。
【００２１】
以上のように構成された食器洗い機について、以下その動作、作用を説明する。食器洗い機は、運転を開始すると、洗浄槽２０内底に配置されたヒータ２５によって洗浄水を加熱しながら、洗浄ノズル２４から食器類１９に向かって噴射し、食器類１９の汚れを落とす洗浄工程を行い、その後、洗浄水を入れ替えながら複数回の溜めすすぎを行うすすぎ工程を行った後、ヒータ２５によって約８０℃に加熱しながらすすぐ、加熱すすぎ工程を行う。
【００２２】
その後、洗浄槽２０内の洗浄水を機外に排出した後、ヒータ２５によって空気を加熱しながら、第１の送風手段２８によって洗浄槽２０内の水分を多く含んだ空気を循環経路２９に排出しつつ、循環経路２９に設けたサーモモジュール２７を運転する。サーモモジュール２７の冷却部２７ａによって、循環経路２９を流れる空気中の水分を結露させて除湿を行いつつ冷却された空気を洗浄槽２０に返すことを繰り返し、食器類１９および洗浄槽２０内部を乾かす乾燥工程を行った後、運転を終了する。このとき、冷却部２７ａで結露した結露水は、循環経路２９を介して洗浄槽２０内に回収される。同時に、第２の送風手段３０を運転し、送風経路３１に空気を流して放熱部２７ｂを冷却する。
【００２３】
サーモモジュール２７は、冷却部２７ａが冷却されるのと同時に放熱部２７ｂが加熱される。放熱部２７ｂの放熱能力が低下すると、同時に冷却部２７ａの冷却能力も低下するが、第２の送風手段３０による強制的な放熱は、送風経路３１の吸気口３２と筐体１７の下部に設けた通気口３３とで構成される通気路から外部の空気を吸気することで行うことができるため、筐体１７がシステムキッチンＫに収容され、かつ、洗浄槽２０が筐体１７内に収納された状態でも放熱能力を向上することができる。
【００２４】
また、吸気口３２をサーモモジュール２７より下方で扉体２１の下部に設けることで、筐体１７がシステムキッチンに収容され、かつ、洗浄槽２０が筐体１７内に収納された状態で、洗浄工程中に加熱された洗浄槽２０の放熱や、サーモモジュール２７の放熱の影響を少なくし、サーモモジュール２７の冷却効率を向上することができる。また、第２の送
風手段３０を停止した状態でも放熱部２７ｂの熱が送風経路３１内に上昇する向きの自然対流を作り、通気口３３と吸気口３２で形成される通気路から取り込まれる外気によって放熱部２７ｂの放熱を行うことができる。
【００２５】
なお、通気口３３に替えて、扉体２１と筐体１７との間に隙間を設けることによって通気路を構成しても同様の効果を得ることができる。
【産業上の利用可能性】
【００２６】
以上のように、本発明にかかる食器洗い機は、前面に開口部を有する筐体と、前記筐体内に前後方向に移動可能に配置されたる洗浄槽と、前記洗浄槽の前方に設けられ、前記開口部を覆う扉体と、前記洗浄槽と前記扉体との間に配設されたサーモモジュールとを備え、前記洗浄槽内の空気が前記サーモモジュールの冷却部に接触するように循環させる第１の送風手段と循環経路と、前記洗浄槽外の空気が前記サーモモジュールの放熱部に接触するように通過させる第２の送風手段と送風経路とを有し、前記送風経路の吸気口は前記サーモモジュールより下方に設けられたことで、洗浄工程中に加熱された洗浄槽の放熱や、サーモモジュールの放熱の影響を少なくし、サーモモジュールの冷却効率を向上することができるので、システムキッチンにビルトインして使用されるタイプ等、特に洗浄槽の開口部が上方に形成された食器洗い機等に有用である。
【符号の説明】
【００２７】
１７  筐体
１８  開口部
２０  洗浄槽
２１  扉体
２７  サーモモジュール
２７ａ  冷却部
２７ｂ  放熱部
２８  第１の送風手段
２９  循環経路
３０  第２の送風手段
３１  送風経路
３２  吸気口（通気路）
３３  通気口（通気路）
【図１】
2014100277.tif 000003
【図２】
2014100277.tif 000004